(57)【要約】【課題】過大な衝撃が光ディスク装置や光ピックアップに加わった際に、レンズホルダの変位範囲を制限できる薄型光ディスク装置用の光ピックアップを提供すること。【解決手段】本発明の光ピックアップ１は、光学ベースと、光学ベース上に搭載された対物レンズ駆動装置１０と、光学ベースの上面を覆うカバーとを備え、対物レンズ駆動装置１０は、光学ベースに固定されたダンパベース３と、ダンパベース３に一端が支持されたサスペンションワイヤと、サスペンションワイヤの他端が固定されたレンズホルダ２と、レンズホルダ２に保持された対物レンズと、レンズホルダ２の側部に設けたトラッキングコイル用ボビンとを備える。トラッキングコイル用ボビンにはレンズホルダ２の外側に向かって突出する第１突起が設けられている。この第１突起がカバー６と衝突することにより、レンズホルダ２の変位範囲を制限できる。【選択図】図３
2007048365.tif 000002
【特許請求の範囲】
【請求項１】
光ディスクの半径方向に沿って移動することができる光学ベースと、
前記光学ベース上に搭載された対物レンズ駆動装置と、
前記光学ベースに設けられたレーザ光を出射するレーザ光源と前記光ディスクで反射したレーザ光を検出する光検出器と、
前記レーザ光源から出射された前記レーザ光を前記光ディスクに導くとともに、前記光ディスクで反射したレーザ光を前記光検出器に導く光学系と、
前記光学ベースの上面側を覆っているカバーと、を備えた光ピックアップにおいて、
前記対物レンズ駆動装置は、レーザ光を光ディスクに集光させる対物レンズと、上面と正面側壁と背面側壁と左右側部とを有し前記上面に前記対物レンズが保持されているレンズホルダと、前記レンズホルダの前記正面側壁に設けられている一対のアクチュエータコイル用ボビンと、前記レンズホルダの左右側部に一端が固定され、前記レンズホルダを支持する複数のサスペンションワイヤと、前記複数のサスペンションワイヤのそれぞれの他端を支持するダンパベースと、を備え、前記アクチュエータコイル用ボビンには、前記レンズホルダの前記正面側壁の直交方向外側に向かって突出する光ディスク非装填時変位防止用の第１突起が設けられており、前記光ディスク非装填時変位防止用の第１突起は、前記カバーと衝突することにより、前記レンズホルダの変位範囲を制限することを特徴とする光ピックアップ。
【請求項２】
前記レンズホルダの前記正面側壁のほぼ中央にレーザ孔を備え、前記一対のアクチュエータコイル用ボビンは、前記レーザ孔の両側にそれぞれ配設されており、前記光ディスク非装填時変位防止用の第１突起は、前記一対のアクチュエータ用ボビンにそれぞれ設けられている請求項１記載の光ピックアップ。
【請求項３】
前記光ディスク非装填時変位防止用の第１突起は、前記アクチュエータコイル用ボビンの前記レーザ孔と反対側で前記レンズホルダの左右側部側に近い位置に設けられている請求項２記載の光ピックアップ。
【請求項４】
前記レンズホルダの前記背面側壁の略中央には、前記レンズホルダの前記背面側壁の直交方向外側に向かって突出する光ディスク非装填時変位防止用の第２突起がさらに設けられており、前記光ディスク非装填時変位防止用の第２突起は、前記カバーと衝突することにより、前記光ディスク非装填時変位防止用の第１突起と相俟って前記レンズホルダの変位範囲を制限する請求項１記載の光ピックアップ。
【請求項５】
前記レンズホルダの上面には、前記光ディスクと前記対物レンズとの接触を防止するための保護突起がさらに設けられており、前記光ディスクと前記保護突起との間の距離は、前記光ディスク非装填時変位防止用の第１突起と前記カバーとの間の距離より短い請求項１ないし４のいずれかに記載の光ピックアップ。
【発明の詳細な説明】
【技術分野】
【０００１】
本発明は、光ディスク装置に用いられる光ピックアップに関する。
【背景技術】
【０００２】
光ディスク装置に用いられる光ピックアップは、光ディスクの半径方向に沿って移動することができる光学ベースと、光学ベース上に搭載された対物レンズ駆動装置と、光学ベースに設けられたレーザ光を出射するレーザ光源と光ディスクで反射したレーザ光を検出する光検出器と、レーザ光源から出射されたレーザ光を光ディスクに導くとともに、光ディスクで反射したレーザ光を光検出器に導く光学系と、光学ベースの上面を覆うカバーとを備えている。
【０００３】
上記対物レンズ駆動装置は、概略、対物レンズと、この対物レンズを保持するレンズホルダと、レンズホルダを変位させるためにレンズホルダに設けられている複数のアクチュエータコイルと、これらのアクチュエータコイルに対して磁界を形成するマグネットと、一端においてレンズホルダを支持する複数のサスペンションワイヤと、これらの複数のサスペンションワイヤの他端を支持するダンパベースとを備えている。
【０００４】
上記構成の対物レンズ駆動装置では、アクチュエータコイルに供給される電流とマグネットによる磁界との相互作用により、レンズホルダを変位させることができる。すなわち、レンズホルダに保持されている対物レンズを変位させ、フォーカシング制御やトラッキング制御等を行うことができる。
【０００５】
近年、光ディスク装置の小型化が図られており、特に、ノートパソコンなどでは、ウルトラスリム型と呼ばれている超薄型の光ディスク装置が用いられている。このため、そのような光ディスク装置に搭載される光ピックアップも小型化され、これに伴い、対物レンズ駆動装置のレンズホルダを支持しているサスペンションワイヤの極細化が図られている。
【発明の開示】
【発明が解決しようとする課題】
【０００６】
光ディスク装置または光ピックアップの搬送時において、光ディスク装置または光ピックアップを誤って落下させたりした場合に、対物レンズ駆動装置に過大な衝撃が加わる。その結果、ダンパベースにサスペンションワイヤを介して変位可能に支持されているレンズホルダに望ましくない変位が生じることがある。特に、光ディスク装置または光ピックアップの搬送時は、光ディスクが非装填状態であるため、レンズホルダの一部が光ディスクとの衝突することによって、レンズホルダの望ましくない変位を制限することができない。そして、上記のようなウルトラスリム型の光ディスク装置においては、極細化したサスペンションワイヤを使用しているため、このレンズホルダの望ましくない変位が過大となりやすく、このような望ましくない変位により、サスペンションワイヤの変形等が生じるという問題点があった。
【０００７】
上記問題点に鑑み、本発明は、光ディスク装置または光ピックアップの搬送時において、過大な衝撃等が対物レンズ駆動装置に加わった場合に、レンズホルダの変位範囲を制限することができる光ディスク装置用の光ピックアップを提供すること目的とする。
【課題を解決するための手段】
【０００８】
上記目的を達成するために、本発明の光ピックアップは、光ディスクの半径方向に沿って移動することができる光学ベースと、前記光学ベース上に搭載された対物レンズ駆動装置と、前記光学ベースに設けられたレーザ光を出射するレーザ光源と前記光ディスクで反射したレーザ光を検出する光検出器と、前記レーザ光源から出射された前記レーザ光を前記光ディスクに導くとともに、前記光ディスクで反射したレーザ光を前記光検出器に導く光学系と、前記光学ベースの上面側を覆っているカバーと、を備えた光ピックアップにおいて、前記対物レンズ駆動装置は、レーザ光を光ディスクに集光させる対物レンズと、上面と正面側壁と背面側壁と左右側部とを有し前記上面に前記対物レンズが保持されているレンズホルダと、前記レンズホルダの前記正面側壁に設けられている一対のアクチュエータコイル用ボビンと、前記レンズホルダの左右側部に一端が固定され、前記レンズホルダを支持する複数のサスペンションワイヤと、前記複数のサスペンションワイヤのそれぞれの他端を支持するダンパベースと、を備え、前記アクチュエータコイル用ボビンには、前記レンズホルダの前記正面側壁の直交方向外側に向かって突出する光ディスク非装填時変位防止用の第１突起が設けられており、前記光ディスク非装填時変位防止用の第１突起は、前記カバーと衝突することにより、前記レンズホルダの変位範囲を制限することを特徴とする。
【０００９】
さらに、本発明の光ピックアップでは、前記レンズホルダの前記正面側壁のほぼ中央にレーザ孔を備え、前記一対のアクチュエータコイル用ボビンは、前記レーザ孔の両側にそれぞれ配設されており、前記光ディスク非装填時変位防止用の第１突起は、前記一対のアクチュエータ用ボビンにそれぞれ設けられていることが好ましい。
【００１０】
さらに、本発明の光ピックアップでは、前記光ディスク非装填時変位防止用の第１突起は、前記アクチュエータコイル用ボビンの前記レーザ孔と反対側で前記レンズホルダの左右側部側に近い位置に設けられていることが好ましい。
【００１１】
さらに、本発明の光ピックアップでは、前記レンズホルダの前記背面側壁の略中央には、前記レンズホルダの前記背面側壁の直交方向外側に向かって突出する光ディスク非装填時変位防止用の第２突起がさらに設けられており、前記光ディスク非装填時変位防止用の第２突起は、前記カバーと衝突することにより、前記光ディスク非装填時変位防止用の第１突起と相俟って前記レンズホルダの変位範囲を制限することが好ましい。
【００１２】
さらに、本発明の光ピックアップでは、前記レンズホルダの上面には、前記光ディスクと前記対物レンズとの接触を防止するための保護突起がさらに設けられており、前記光ディスクと前記保護突起との間の距離は、前記光ディスク非装填時変位防止用の第１突起と前記カバーとの間の距離より短いことが好ましい。
【発明の効果】
【００１３】
請求項１記載の発明によれば、アクチュエータコイル用ボビンには、レンズホルダの正面側壁の直交方向外側に向かって突出する光ディスク非装填時変位防止用の第１突起が設けられているため、搬送中の落下等により衝撃が加わっても、光ディスク非装填時変位防止用の第１突起がカバーに衝突する。この衝突により、光ディスク非装填時変位防止用の第１突起は、レンズホルダの変位範囲を制限することができるので、サスペンションワイヤの変形等を防ぐことができる。特に、光ディスク非装填時変位防止用の第１突起がレンズホルダの正面側壁に設けられているアクチュエータ用ボビンに設けられているので、そのような突起をレンズホルダの左右側部に設けた場合に比べて、レンズホルダ全体の左右の幅を狭くすることができ、光ピックアップの小型化を実現することができる。
【００１４】
請求項２記載の発明によれば、前記一対のアクチュエータコイル用ボビンは、前記レーザ孔の両側にそれぞれ配設されており、前記光ディスク非装填時変位防止用の第１突起は、前記一対のアクチュエータ用ボビンにそれぞれ設けられている。このため、レンズホルダの左右の重量バランスをとることができ、レンズホルダの安定した変位を実現することができる。
【００１５】
請求項３記載の発明によれば、光ディスク非装填時変位防止用の第１突起は、アクチュエータコイル用ボビンのレーザ孔と反対側でレンズホルダの左右側部側に近い位置に設けられている。そのため、レンズホルダに取り付けられているアクチュエータコイルに対して磁界を形成するマグネットを光ディスク非装填時変位防止用の第１突起の内側に配置できる。このようなマグネットの配置により、マグネットとアクチュエータコイルとの位置関係が適切になり、フォーカシング制御、トラッキング制御およびチルティング制御の際に、レンズホルダに不要な力が発生することを防止できる。
【００１６】
請求項４記載の発明によれば、レンズホルダの背面側壁の直交方向外側に向かって突出する光ディスク非装填時変位防止用の第２突起が設けられているため、レンズホルダの背面側壁側においても第２突起がカバーに衝突する。この衝突により、光ディスク非装填時変位防止用の第２突起は、レンズホルダの変位範囲を制限することができる。したがって、光ディスク非装填時変位防止用の第１突起および第２突起は、レンズホルダの正面側壁側および背面側壁側の両方で、レンズホルダの変位範囲をより確実に制限することができる。
【００１７】
請求項５記載の発明によれば、光ディスクと保護突起との間の距離は、光ディスク非装填時変位防止用の第１突起と前記カバーとの間の距離より短い。このため、保護突起が光ディスクに衝突してレンズホルダの変位範囲を制限できない光ディスク非装填状態で、搬送中の落下等により衝撃が加わった場合でも、光ディスク非装填時変位防止用の第１突起がカバーに衝突することにより、レンズホルダの変位範囲を制限するので、サスペンションワイヤの変形等を防ぐことができる。
【発明を実施するための最良の形態】
【００１８】
以下、添付図面を参照しつつ本発明に係る光ピックアップの実施形態について詳細に説明する。
【００１９】
図１は、光ピックアップの全体構成を示す斜視図であって、カバーを取り除いたものである。光ピックアップ１は、概略、光ディスク（図示せず）の半径方向に沿って移動することができる光学ベース１１と、光学ベース１１上に搭載された対物レンズ駆動装置１０と、光学ベース１１に設けられたレーザ光を出射するレーザ光源１２と光ディスクで反射したレーザ光を検出する光検出器１３と、出射されたレーザ光を光ディスクに導くとともに、光ディスクで反射したレーザ光を光検出器１３に導く光学系（図示せず）と、光学ベース１１の上面側を覆っているカバー６（図１では取り外されており、図３に図示されている）とを備えている。
【００２０】
本実施形態の光ピックアップ１は、一般に厚さ９．５ｍｍのウルトラスリム型と呼ばれる光ディスク装置に搭載されるものである。
【００２１】
図２は、本発明の実施形態に係る光ピックアップ１の対物レンズ駆動装置１０の全体構成を示す斜視図である。対物レンズ駆動装置１０は、図２〜図７に示すように、レーザ光源１２から出射されたレーザ光を光ディスクに集光させる対物レンズ２２と、上面２１１と正面側壁２１２と背面側壁２１３と左右側部とを有し上面２１１に対物レンズ２２が保持されているレンズホルダ２と、レンズホルダ２の正面側壁２１２に設けられている一対のアクチュエータコイル用ボビン（トラッキングコイル用ボビン２４１、２４２）と、レンズホルダ２の左右側部に一端が固定され、レンズホルダ２を支持するサスペンションワイヤ（フォーカシングワイヤ５３、トラッキングワイヤ５４およびチルティングワイヤ５５）と、フォーカシングワイヤ５３、トラッキングワイヤ５４およびチルティングワイヤ５５のそれぞれの他端を支持するダンパベース３とを備えている。
【００２２】
レンズホルダ２は、レンズホルダ本体２１と、フォーカシングコイル２３１、２３２と、トラッキングコイル２４５〜２４８と、チルティングコイル（図示せず）と、ワイヤ支持部２６、２６と、接続突起２７３〜２７５とを備えている。
【００２３】
レンズホルダ本体２１は、上面２１１と、正面側壁２１２と、背面側壁２１３とを備える（図４および図６参照）。正面側壁２１２および背面側壁２１３は、タンジェンシャル方向（図２に示す符号Ｔｇ方向）において互いに対向している。また、レンズホルダ本体２１は、後述するヨーク４の上に配設されている。レンズホルダ本体２１は、ヨーク４に対して移動（図２に示す符号Ｆ方向であるフォーカシング方向や図２に示す符号Ｔｒ方向であるトラッキング方向の移動）またはチルティングできるように、フォーカシングワイヤ５３、トラッキングワイヤ５４およびチルティングワイヤ５５を介してダンパベース３に変位可能に支持されている。
【００２４】
上面２１１には、後述するヨーク片４３１〜４３２が貫通するための２個の矩形状貫通穴２１４、２１５を備えている。また、レンズホルダ本体２１の正面側壁２１２のトラッキング方向（Ｔｒ方向）のほぼ中央に、レーザ孔２１６が形成されている（図２および図４参照）。
【００２５】
対物レンズ２２は、レンズホルダ本体２１の上面２１１中央に固定されており、レーザ光源１２から出射されたレーザ光を光ディスク（図示せず）の記録面に収束させ、光ディスクの記録面で反射したレーザ光を通過させる。
【００２６】
また、この対物レンズ２２の周囲に一対の対物レンズ接触防止用の保護突起２８が設けられている。この保護突起２８は、光ディスク装填時において、光ディスクの記録面と対物レンズ２２との接触を防止し、対物レンズ２２の表面の損傷を防止する。
【００２７】
フォーカシングコイルは、２個の矩形状のフォーカシングコイル２３１、２３２から構成されており、レンズホルダ本体２１に取り付けられている（図４および図６参照）。
【００２８】
フォーカシングコイル２３１は、レンズホルダ本体２１に取り付けられており、マグネット４４１とヨーク片４３１との間およびマグネット４４４とヨーク片４３１との間に形成される磁界の中に配置されている。一方、フォーカシングコイル２３２は、レンズホルダ本体２１に取り付けられており、マグネット４４２とヨーク片４３２との間およびマグネット４４３とヨーク片４３２との間に形成される磁界の中に配置されている。
【００２９】
フォーカシングコイル２３１、２３２のリード線端は、接続突起２７３に巻回され、フォーカシングワイヤ５３と電気的に接続されている（図２参照）。
【００３０】
トラッキングコイルは、４個のトラッキングコイル２４５〜２４８とから構成されている。トラッキングコイル２４５〜２４８は、レンズホルダ本体２１に一体に設けられたアクチュエータコイル用ボビンである４個のトラッキングコイル用ボビン２４１〜２４４にそれぞれ巻回されている。
【００３１】
これらのトラッキングコイル用ボビン２４１〜２４４は、レンズホルダ本体２１の正面側壁２１２および背面側壁２１３にそれぞれ２個づつ立設するように形成されている（図４および図６参照）。また、これらのトラッキングコイル用ボビン２４１〜２４４は、フォーカシングコイル２３１、２３２とマグネット４４１〜４４４との間に配設されている。
【００３２】
正面側壁２１２に形成されているトラッキングコイル用ボビン２４１、２４２は、前述のレーザ孔２１６のトラッキング方向（Ｔｒ方向）両側にそれぞれ配設されている。
【００３３】
トラッキングコイル２４５〜２４８は、図２に示すように、マグネット４４１〜４４４とヨーク片４３１、４３２との間に形成される磁界の中に配置されている。
【００３４】
トラッキングコイル２４５〜２４８のリード線端は、接続突起２７４に巻回され、トラッキングワイヤ５４と電気的に接続されている。
【００３５】
チルティングコイルは、レンズホルダ２に設けられた２個の矩形状のチルティングコイル（図示せず）から構成されている。２個のチルティングコイルは、それぞれフォーカシングコイル２３１、２３２の内側に配置されている。
【００３６】
フォーカシングコイル２３１の内側のチルティングコイルは、レンズホルダ本体２１に取り付けられており、マグネット４４１とヨーク片４３１との間およびマグネット４４４とヨーク片４３１との間に形成される磁界の中に配置されている。一方、フォーカシングコイル２３２の内側のチルティングコイルは、レンズホルダ本体２１に取り付けられており、マグネット４４２とヨーク片４３２との間およびマグネット４４３とヨーク片４３２との間に形成される磁界の中に配置されている。
【００３７】
チルティングコイルのリード線端は、接続突起２７５に巻回され、チルティングワイヤ５５と電気的に接続されている（図２参照）。
【００３８】
ワイヤ支持部２６は、レンズホルダ本体２１のトラッキング方向（Ｔｒ方向）の両側部（左右側部）から外側へ突出するように、レンズホルダ本体２１と一体に形成されている。これらのワイヤ支持部２６は、それぞれフォーカシングワイヤ５３、トラッキングワイヤ５４およびチルティングワイヤ５５の一端側を貫通させるための貫通孔２６３〜２６５を有する（図４および図６参照）。
【００３９】
この貫通孔２６３〜２６５にダンピング材を充填することによって、フォーカシングワイヤ５３、トラッキングワイヤ５４およびチルティングワイヤ５５の一端側がそれぞれ保持されている。
【００４０】
第１接続突起２７３、第２接続突起２７４および第３接続突起２７５は、それぞれレンズホルダ本体２１のトラッキング方向（Ｔｒ方向）の両側部（左右側部）から外側へ突出するように、相互に分離して設けられている。
【００４１】
ダンパベース３は、ダンパベース本体３１と、ワイヤ支持部３２、３２とを備えている。このダンパベース３には、ヨーク４が固定されているため、レンズホルダ２は、ダンパベース３に対しても移動またはチルティングすることができる。
【００４２】
ダンパベース本体３１は、レンズホルダ２からタンジェンシャル方向（Ｔｇ方向）に所定間隔をおいて配置されており、光学ベース１１に固定されている。
【００４３】
ワイヤ支持部３２、３２は、ダンパベース本体３１のトラッキング方向（Ｔｒ方向）両側部に一体に設けられている。ワイヤ支持部３２は、後述するフォーカシングワイヤ５３が挿通される貫通孔３２３と、トラッキングワイヤ５４が挿通される貫通孔３２４と、チルティングワイヤ５５が挿通される貫通孔３２５とを備えている。
【００４４】
また、ワイヤ支持部３２は、フォーカシングワイヤ５３およびトラッキングワイヤ５４を、それぞれダンピング材３２２を介して支持している。ワイヤ支持部３２には、ダンピング材３２２を充填するための２個の充填用凹部３２１が各ワイヤ支持部３２の上下に設けられている。
【００４５】
充填用凹部３２１は、それぞれ貫通孔３２３、３２４とタンジェンシャル方向（Ｔｇ方向）に所定間隔をおいた位置に設けられている。ダンピング材３２２は、レンズホルダ２全体が移動またはチルティングする際に、フォーカシングワイヤ５３およびトラッキングワイヤ５４によりもたらされるレンズホルダ２の共振を防止している。
【００４６】
さらに、各ワイヤ支持部３２の上下に設けられている充填用凹部３２１の間には、チルティングワイヤ５５が挿通される貫通孔３２６が形成されている。この貫通孔３２６にダンピング材を充填することによって、貫通孔３２６は、ダンピング材を介してチルティングワイヤ５５を支持している。この貫通孔３２６のダンピング材は、チルティングワイヤ５５によりもたらされるレンズホルダ２の共振を防止している。
【００４７】
ヨーク４は、底板部４１と、４個のマグネット取付部４２１〜４２４と、２個のヨーク片４３１、４３２と、４個のマグネット４４１〜４４４と延在部４８とを備えている。この底板部４１は、前述のレンズホルダ本体２１の下に位置している。
【００４８】
マグネット４４１、４４２は、前述したレンズホルダ２のレンズホルダ本体２１の正面側壁２１２と対向するように配置されている。そして、マグネット４４１、４４２は、それぞれ底板部４１と一体に形成されているマグネット取付部４２１、４２２に設けられている。一方、マグネット４４３、４４４は、前述したレンズホルダ２のレンズホルダ本体２１の背面側壁２１３と対向するように配置されている。そして、マグネット４４３、４４４は、それぞれ底板部４１と一体に形成されているマグネット取付部４２３、４２４に設けられている。
【００４９】
マグネット４４１、４４２のトラッキング方向（Ｔｒ方向）において外側の位置にあるマグネット側面４４１ａ、４４２ａは、後述する第１突起７１、７２の内側にそれぞれ位置している。
【００５０】
ヨーク片４３１、４３２は、レンズホルダ本体２１に形成されている２個の矩形状貫通穴２１４、２１５を貫通するように底板部４１上に立設されている。ヨーク片４３１、４３２は、前述した矩形状貫通穴２１４、２１５にそれぞれ挿通されている。
【００５１】
延在部４８は、底板部４１のダンパベース３側を立ち上げて形成したものであり、ダンパベース３に固定されている。
【００５２】
サスペンションワイヤは、前述したようにフォーカシングワイヤ５３と、トラッキングワイヤ５４と、チルティングワイヤ５５とから構成され、レンズホルダ２の側部において、上からフォーカシングワイヤ５３、チルティングワイヤ５５、トラッキングワイヤ５４の順に配設されている。
【００５３】
上述したように、フォーカシングワイヤ５３、トラッキングワイヤ５４およびチルティングワイヤ５５は、それぞれレンズホルダ２のレンズホルダ本体２１の両側部（左右側部）に設けたワイヤ支持部２６とダンパベース３のワイヤ支持部３２との間に張り渡されている。そして、この張り渡された部分が弾性変形することにより、レンズホルダ２は、ダンパベース３に対して変位可能に支持されている。
【００５４】
上記フォーカシングワイヤ５３、トラッキングワイヤ５４およびチルティングワイヤ５５の一端は、前述したレンズホルダの接続突起２７３〜２７５とそれぞれ電気的に接続されている。一方、フォーカシングワイヤ５３、トラッキングワイヤ５４およびチルティングワイヤ５５の他端は、光学ベース１１に設けられた基板（図示せず）に電気的に接続されている。
【００５５】
カバー６は、光ピックアップ１内部へ塵の侵入等を防止するために、光学ベース１１の上面側を覆っており、カバー本体６１と、開口部６２とから構成されている（図３参照）。
【００５６】
カバー本体６１は、ダンパベース３、ヨーク４およびフォーカシングワイヤ５３の一部の上方を覆うように設けられている。また、カバー本体６１は、光学ベース（図示せず）に固定されている。
【００５７】
開口部６２は、カバー本体６１に形成されている。より詳細に説明すると、開口部６２は、レンズホルダ２の上方において矩形状に開口するとともに、フォーカシングワイヤ５３の張り渡された部分に沿って、その上方も開口するように形成されている。開口部６２の形状は、レンズホルダ２が可動した際に、後述する第１突起７１、７２および第２突起７３以外のレンズホルダ２ならびにフォーカシングワイヤ５３がカバー本体６１に接触しないような形状となっている。なお、開口部６２は、後述する第１突起７１、７２と衝突する前方縁６３、６４と、後述する第２突起７３と衝突する後方縁６５とを有する（図３、図５および図７参照）。
【００５８】
レンズホルダ２には、光ディスク非装填時変位防止用の第１突起７１、７２および第２突起７３がさらに設けられている（図４および図６参照）。
【００５９】
第１突起７１、７２は、トラッキングコイル用ボビン２４１、２４２から正面側壁２１２の直交方向外側、即ちタンジェンシャル方向（Ｔｇ）に向かって突出するようにレンズホルダ２と一体に設けられている（図４参照）。
【００６０】
第１突起７１、７２は、正面側壁２１２のトラッキングコイル用ボビン２４１、２４２のレーザ孔２１６の反対側でレンズホルダ２の左右側部側に近い位置に設けられている。即ち、第１突起７１、７２は、トラッキングコイル用ボビン２４１、２４２のトラッキング方向（Ｔｒ方向）外側の位置に設けられている。
【００６１】
なお、光ディスクと前述の保護突起２８との間のフォーカシング方向（Ｆ方向）の距離は、第１突起７１、７２とカバー６の開口部６２の前方縁６３、６４との間のフォーカシング方向（Ｆ方向）の距離より短くなっている。
【００６２】
第２突起７３は、レンズホルダ２の背面側壁２１３から背面側壁２１３の直交方向外側、即ちタンジェンシャル方向に向かって突出するようにレンズホルダ２と一体に設けられている（図６参照）。
【００６３】
次に、上記構成を有する光ピックアップ１の対物レンズ駆動装置１０において、レンズホルダ２の動作を説明する。このレンズホルダ２は、上述したように、マグネット４４１〜４４４およびヨーク片４３１、４３２が設けられているヨーク４に対して移動またはチルティングするように、ダンパベース３にフォーカシングワイヤ５３、トラッキングワイヤ５４およびチルティングワイヤ５５を介して変位可能に支持されている。このため、フォーカシングコイル２３１、２３２、トラッキングコイル２４５〜２４８およびチルティングコイルに供給される電流とマグネット４４１〜４４４によって形成された磁界との相互作用により、レンズホルダ２を変位させることができる。フォーカシングコイル２３１、２３２、トラッキングコイル２４５〜２４８およびチルティングコイルに供給される電流を制御することにより、レンズホルダ２に保持されている対物レンズ２２のフォーカシング制御、トラッキング制御およびチルティング制御を行うことができる。
【００６４】
次に、本実施形態の作用効果を説明する。
本実施形態によれば、トラッキングコイル用ボビン２４１、２４２からタンジェンシャル方向（Ｔｇ）に向かって突出している光ディスク非装填時変位防止用の第１突起７１、７２が設けられているため、搬送中の落下等により衝撃が加わっても、光ディスク非装填時変位防止用の第１突起７１、７２がカバー６の前方縁６３、６４に衝突する。この衝突により、光ディスク非装填時変位防止用の第１突起７１、７２は、レンズホルダ２の変位範囲を制限することができる。したがって、光ディスク非装填時変位防止用の第１突起７１、７２は、フォーカシングワイヤ５３、トラッキングワイヤ５４およびチルティングワイヤ５５の変形等を防ぐことができる。特に、光ディスク非装填時変位防止用の第１突起７１、７２がレンズホルダ２の正面側壁２１２に設けられているトラッキングコイル用ボビン２４１、２４２に設けられているので、そのような突起をレンズホルダ２の左右側部に設けた場合に比べて、レンズホルダ２全体の左右の幅を狭くすることができ、光ピックアップ１の小型化を実現することができる。
【００６５】
また、本実施形態によれば、トラッキングコイル用ボビン２４１、２４２は、レーザ孔２１６の両側にそれぞれ配設されており、光ディスク非装填時変位防止用の第１突起７１、７２は、トラッキングコイル用ボビン２４１、２４２にそれぞれ設けられているため、レンズホルダ２の左右の重量バランスをとることができ、レンズホルダ２の安定した変位を実現することができる。
【００６６】
また、本実施形態によれば、光ディスク非装填時変位防止用の第１突起７１、７２は、トラッキングコイル用ボビン２４１、２４２のトラッキング方向（Ｔｒ方向）外側に設けられているため、レンズホルダ２に取り付けられているフォーカシングコイル２３１、２３２、トラッキングコイル２４５〜２４８およびチルティングコイルに対して磁界を形成するマグネット４４１〜４４４を内側に配置できる。このようなマグネット４４１〜４４４の配置により、マグネット４４１〜４４４とフォーカシングコイル２３１、２３２、トラッキングコイル２４５〜２４８およびチルティングコイルとの位置関係が適切になり、フォーカシング制御、トラッキング制御およびチルティング制御の際に、レンズホルダ２に不要な力が発生することを防止できる。
【００６７】
また、本実施形態によれば、レンズホルダ２の背面側壁２１３からタンジェンシャル方向（Ｔｇ方向）に向かって突出する光ディスク非装填時変位防止用の第２突起７３が設けられているため、レンズホルダ２の背面側壁２１３側において、第２突起７３がカバー６の後方縁６５に衝突する。この衝突により、レンズホルダ２の変位範囲を制限することができる。したがって、光ディスク非装填時変位防止用の第１突起７１、７２および第２突起７３は、レンズホルダ２の正面側壁２１２側と背面側壁２１３側の両方で、より確実にレンズホルダ２の変位範囲を制限することができる。
【００６８】
以下、図５を参照して、第１突起７１、７２および第２突起７３の変位範囲の制限をより詳細に説明する。
【００６９】
光ディスク装置または光ピックアップ１の搬送時において、光ディスク装置または光ピックアップ１を誤って落下させたりした場合に、過大な衝撃が対物レンズ駆動装置１０に加わる。これにより、矢印Ａの方向にレンズホルダ２が変位し、第１突起７１または第１突起７２がカバー６の開口部６２の前方縁６３または前方縁６４と衝突する。即ち、第１突起７１または第１突起７２は、レンズホルダ２の正面側壁２１２側の変位範囲を制限することができる。次いで、第１突起７１または第１突起７２が衝突した前方縁６３または前方縁６４を支点として、矢印Ｂの方向にレンズホルダ２が変位するという揺り返しが生じる。そのため、第２突起７３がカバー６の開口部６２の後方縁６５と衝突する。即ち、レンズホルダ２の背面側壁２１３側の変位範囲を制限することができる。
【００７０】
このように、第２突起７３は、第１突起７１、７２と相俟って、レンズホルダ２の変位範囲をより確実に制限することができる。したがって、レンズホルダ２のフォーカシング方向（Ｆ方向）の過度な変位によるフォーカシングワイヤ５３、トラッキングワイヤ５４およびチルティングワイヤ５５の変形等を防止することができる。
【００７１】
また、本実施形態によれば、光ディスクと保護突起２８との間の距離は、光ディスク非装填時変位防止用の第１突起７１、７２とカバー６の開口部６２の前方縁６３、６４との間の距離より短い。このため、搬送中の落下等により衝撃が加わった際に、光ディスク非装填状態で保護突起２８が光ディスクに衝突してレンズホルダ２の変位範囲を制限できない場合でも、光ディスク非装填時変位防止用の第１突起７１、７２がカバー６の開口部６２の前方縁６３、６４に衝突することにより、レンズホルダ２の変位範囲を制限することができる。したがって、光ディスク非装填時変位防止用の第１突起７１、７２は、光ディスク非装填状態であっても、フォーカシングワイヤ５３、トラッキングワイヤ５４およびチルティングワイヤ５５の変形等を防ぐことができる。
【図面の簡単な説明】
【００７２】
【図１】光ピックアップの全体構成を示す斜視図であって、カバーを取り除いたものである。
【図２】本発明の一実施形態に係る光ピックアップの対物レンズ駆動装置の全体構成を示す斜視図である。
【図３】図２に示す対物レンズ駆動装置の全体構成とカバーとを示す斜視図である。
【図４】レンズホルダの正面側壁側から見た斜視図である。
【図５】図２に示す対物レンズ駆動装置の一部を示す側面図である。
【図６】レンズホルダの背面側壁側から見た斜視図である。
【図７】図２に示す対物レンズ駆動装置の一部を示す断面図である。
【符号の説明】
【００７３】
１  光ピックアップ
１０  対物レンズ駆動装置
１１  光学ベース
１２  レーザ光源
１３  光検出器
２  レンズホルダ
２１  レンズホルダ本体
２１１  上面
２１２  正面側壁
２１３  背面側壁
２１４、２１５  矩形状貫通穴
２１６  レーザ孔
２２  対物レンズ
２３１、２３２  フォーカシングコイル
２４１〜２４４  トラッキングコイル用ボビン
２４５〜２４８  トラッキングコイル
２６  ワイヤ支持部
２６３〜２６５  貫通孔
２７３〜２７５  接続突起
２８  保護突起
３  ダンパベース
３１  ダンパベース本体
３２  ワイヤ支持部
３２１  充填用凹部
３２２  ダンピング材
３２３〜３２５  貫通孔
３２６  貫通孔
４  ヨーク
４１  底板部
４２１〜４２４  マグネット取付部
４３１、４３２  ヨーク片
４４１〜４４４  マグネット
４４１ａ、４４２ａ  マグネット側面
４８  延在部
５３  フォーカシングワイヤ
５４  トラッキングワイヤ
５５  チルティングワイヤ
６  カバー
６１  カバー本体
６２  開口部
６３、６４  前方縁
６５  後方縁
７１、７２  第１突起
７３  第２突起
【図１】
2007048365.tif 000003
【図２】
2007048365.tif 000004
【図３】
2007048365.tif 000005
【図４】
2007048365.tif 000006
【図５】
2007048365.tif 000007
【図６】
2007048365.tif 000008
【図７】
2007048365.tif 000009